(57)【要約】【課題】ペアリングする無線コントローラを適切に設定することができる照明装置を提供する。【解決手段】照明装置１３は、第１の無線コントローラ２１とペアリングされた後に、第１の無線コントローラ２１から送信される第１信号ｓ１の受信の有無を判断する判断部１３ｄと、判断部１３ｄにて第１信号ｓ１の受信が無いと判断された後に、第１信号ｓ１または第２の無線コントローラ２２から送信される第２信号ｓ２を受け付ける受付部１３ｅと、受付部１３ｅにて受け付けた第１信号ｓ１または第２信号ｓ２に基づいて、第１の無線コントローラ２１および第２の無線コントローラ２２の中からペアリング相手となる無線コントローラを決定する決定部１３ｆとを備える。【選択図】図３Ａ
2020135943.tif 000002
【特許請求の範囲】
【請求項１】
第１の無線コントローラまたは第２の無線コントローラと無線通信する照明装置であって、
前記第１の無線コントローラとペアリングされた後に、前記第１の無線コントローラから送信される第１信号の受信の有無を判断する判断部と、
前記判断部にて前記第１信号の受信が無いと判断された後に、前記第１信号または前記第２の無線コントローラから送信される第２信号を受け付ける受付部と、
前記受付部にて受け付けた前記第１信号または前記第２信号に基づいて、前記第１の無線コントローラおよび前記第２の無線コントローラの中からペアリング相手となる無線コントローラを決定する決定部と
を備える照明装置。
【請求項２】
前記第１信号は、前記第１の無線コントローラが前記照明装置に対して存在確認を行うためのポーリング信号、または、前記照明装置を点灯制御する点灯制御信号である
請求項１に記載の照明装置。
【請求項３】
前記判断部は、前記第１信号の受信が複数回連続して無い場合に、前記第１信号の受信が無いと判断する
請求項１または２に記載の照明装置。
【請求項４】
前記判断部は、前記第１信号の受信が規定期間に全く無い場合に、前記第１信号の受信が無いと判断する
請求項１または２に記載の照明装置。
【請求項５】
前記判断部は、前記照明装置を点灯制御する点灯スケジュールのとおりに前記第１信号を受信しなかった場合に、前記第１信号の受信が無いと判断する
請求項１または２に記載の照明装置。
【請求項６】
前記受付部は、前記第１信号または前記第２信号を受け付ける受付期間の途中に前記第１信号を受け付けた場合、前記第１信号を受け付けた後に前記第２信号を受け付け不可とする
請求項１〜５のいずれか１項に記載の照明装置。
【請求項７】
前記受付部は、前記第１信号または前記第２信号を受け付ける受付期間に前記第２信号を受け付けなかった場合に、前記受付期間の終了後に前記第２信号を受け付け不可とする
請求項１〜５のいずれか１項に記載の照明装置。
【請求項８】
前記決定部は、前記受付部が前記第１信号または前記第２信号を受け付ける受付期間に、前記第１信号および前記第２信号を受け付けなかった場合に、前記第１の無線コントローラとのペアリングを解消する
請求項１〜５のいずれか１項に記載の照明装置。
【請求項９】
第１の無線コントローラ、第２の無線コントローラ、および、前記第１の無線コントローラまたは前記第２の無線コントローラと無線通信する照明装置を備える照明システムであって、
前記第１の無線コントローラは、前記照明装置に第１信号を送信する通信部を備え、
前記第２の無線コントローラは、前記照明装置に第２信号を送信する通信部を備え、
前記照明装置は、前記第１の無線コントローラとペアリングされた後に、前記第１信号の受信の有無を判断する判断部と、前記判断部にて前記第１信号の受信が無いと判断された後に、前記第１信号または前記第２信号を受け付ける受付部と、前記受付部にて受け付けた前記第１信号または前記第２信号に基づいて、前記第１の無線コントローラおよび前記第２の無線コントローラの中からペアリング相手となる無線コントローラを決定する決定部とを備える
照明システム。
【請求項１０】
第１の無線コントローラまたは第２の無線コントローラと無線通信する照明装置のペアリング設定方法であって、
前記第１の無線コントローラとペアリングされた後、前記第１の無線コントローラから送信される第１信号の受信の有無を判断する判断ステップと、
前記判断ステップにて前記第１信号の受信が無いと判断された後に、前記第１信号または前記第２の無線コントローラから送信される第２信号を受け付ける受付ステップと、
前記受付ステップにて受け付けた前記第１信号または前記第２信号に基づいて、前記第１の無線コントローラおよび前記第２の無線コントローラの中からペアリング相手となる無線コントローラを決定する決定ステップと
を含む照明装置のペアリング設定方法。
【請求項１１】
請求項１０に記載の照明装置のペアリング設定方法をコンピュータに実行させるためのプログラム。
【発明の詳細な説明】
【技術分野】
【０００１】
本発明は、照明装置、この照明装置を備える照明システム、照明装置のペアリング設定方法、および、プログラムに関する。
【背景技術】
【０００２】
従来、複数の無線コントローラと、複数の照明装置と、無線コントローラおよび照明装置の通信設定を行う設定器とを備える照明システムが知られている（例えば特許文献１参照）。この種の照明システムでは、複数の無線コントローラおよび複数の照明装置が建物内に設置された後に、設定器を用いて所定の無線コントローラと所定の照明装置とのペアリングの設定が行われる。このペアリングの設定により、所定の照明装置が所定の無線コントローラによって通信制御される。
【先行技術文献】
【特許文献】
【０００３】
【特許文献１】特開２０１８−１４２４３０号公報
【発明の概要】
【発明が解決しようとする課題】
【０００４】
例えば上記照明システムでは、建物内の電波状況によって、所定の照明装置が所定の無線コントローラによって通信制御されなくなる場合がある。その場合、設定器を用いて所定の照明装置と所定の無線コントローラとのペアリングを設定しなおす等の処置が行われるが、そのペアリングの設定が今の電波状況に合致していないと、再び所定の照明装置が所定の無線コントローラによって通信制御されなくなるという問題がある。
【０００５】
そこで、本発明は、ペアリングする無線コントローラを適切に設定することができる照明装置等を提供することを目的とする。
【課題を解決するための手段】
【０００６】
本発明の照明装置の一態様は、第１の無線コントローラまたは第２の無線コントローラと無線通信する照明装置であって、前記第１の無線コントローラとペアリングされた後に、前記第１の無線コントローラから送信される第１信号の受信の有無を判断する判断部と、前記判断部にて前記第１信号の受信が無いと判断された後に、前記第１信号または前記第２の無線コントローラから送信される第２信号を受け付ける受付部と、前記受付部にて受け付けた前記第１信号または前記第２信号に基づいて、前記第１の無線コントローラおよび前記第２の無線コントローラの中からペアリング相手となる無線コントローラを決定する決定部とを備える。
【０００７】
本発明の照明システムの一態様は、第１の無線コントローラ、第２の無線コントローラ、および、前記第１の無線コントローラまたは前記第２の無線コントローラと無線通信する照明装置を備える照明システムであって、前記第１の無線コントローラは、前記照明装置に第１信号を送信する通信部を備え、前記第２の無線コントローラは、前記照明装置に第２信号を送信する通信部を備え、前記照明装置は、前記第１の無線コントローラとペアリングされた後に、前記第１信号の受信の有無を判断する判断部と、前記判断部にて前記第１信号の受信が無いと判断された後に、前記第１信号または前記第２信号を受け付ける受付部と、前記受付部にて受け付けた前記第１信号または前記第２信号に基づいて、前記第１の無線コントローラおよび前記第２の無線コントローラの中からペアリング相手となる無線コントローラを決定する決定部とを備える。
【０００８】
本発明の照明装置のペアリング設定方法一態様は、第１の無線コントローラまたは第２の無線コントローラと無線通信する照明装置のペアリング設定方法であって、前記第１の無線コントローラとペアリングされた後、前記第１の無線コントローラから送信される第１信号の受信の有無を判断する判断ステップと、前記判断ステップにて前記第１信号の受信が無いと判断された後に、前記第１信号または前記第２の無線コントローラから送信される第２信号を受け付ける受付ステップと、前記受付ステップにて受け付けた前記第１信号または前記第２信号に基づいて、前記第１の無線コントローラおよび前記第２の無線コントローラの中からペアリング相手となる無線コントローラを決定する決定ステップとを含む。
【０００９】
本発明のプログラムの一態様は、上記照明装置のペアリング設定方法をコンピュータに実行させるためのプログラムである。
【発明の効果】
【００１０】
本発明の照明装置等によれば、ペアリングする無線コントローラを適切に設定することができる。
【図面の簡単な説明】
【００１１】
【図１】実施の形態に係る照明システムが備える複数の照明装置、複数の無線コントローラおよび操作端末を示す概略図である。
【図２】実施の形態に係る照明システムの構成を示すブロック図である。
【図３Ａ】実施の形態に係る照明装置のペアリング設定方法を示すシーケンス図である。
【図３Ｂ】実施の形態に係る照明装置のペアリング設定方法の他の例を示すシーケンス図である。
【図４】実施の形態の変形例１に係る照明装置のペアリング設定方法を示すシーケンス図である。
【図５】実施の形態の変形例２に係る照明装置のペアリング設定方法を示すシーケンス図である。
【図６】実施の形態の変形例３に係る照明装置のペアリング設定方法を示すシーケンス図である。
【図７】実施の形態の変形例４に係る照明装置のペアリング設定方法を示すシーケンス図である。
【発明を実施するための形態】
【００１２】
以下、実施の形態に係る照明装置および照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化する。
【００１４】
（実施の形態）
［１．照明システムおよび照明装置等の構成］
まず、実施の形態に係る照明システム１の全体構成について、図１を参照しながら説明する。
【００１５】
図１は、照明システム１が備える複数の照明装置、複数の無線コントローラおよび操作端末を示す概略図である。
【００１６】
照明システム１は、操作端末３０と、操作端末３０と通信する第１の無線コントローラ２１および第２の無線コントローラ２２と、第１の無線コントローラ２１または第２の無線コントローラ２２と通信する複数の照明装置１１、１２、１３および１４とを備える。第１の無線コントローラ２１および第２の無線コントローラ２２ならびに複数の照明装置１１〜１４は、例えば建物９０の造営材（天井）などに設置される。図１では、２台の無線コントローラおよび４台の照明装置が建物９０に設置されているが、実際には５台以上の無線コントローラ、および、５０台以上の照明装置が建物９０に設置されることがある。
【００１７】
図１に示すように、第１の無線コントローラ２１と照明装置１１〜１３とは、無線通信ｒ１で通信可能である。第２の無線コントローラ２２と照明装置１４とは、無線通信ｒ２で通信可能である。なお、第２の無線コントローラ２２は、照明装置１３とも無線通信ｒ２で通信可能である。また、操作端末３０は、無線通信ｒ３で第１の無線コントローラ２１、第２の無線コントローラ２２のそれぞれと通信可能となっている。無線通信ｒ１、ｒ２、ｒ３による通信方式としては、例えば、９２０ＭＨｚ帯の周波数を利用した特定小電力無線、Ｚｉｇｂｅｅ（登録商標）、Ｂｌｕｅｔｏｏｔｈ（登録商標）、あるいは、ＷｉＦｉ（登録商標）などの方式が用いられる。なお、無線通信ｒ１、ｒ２は、同じ通信方式におけるユニキャスト通信であってもよい。
【００１８】
以下において、第１の無線コントローラ２１を無線コントローラ２１と呼び、第２の無線コントローラ２２を無線コントローラ２２と呼ぶ場合がある。また以下では、複数の照明装置１１〜１４のうち照明装置１３を代表例に挙げて説明する。
【００１９】
図１に示す照明システム１では、無線コントローラ２１と照明装置１３とがペアリングされている。これにより照明装置１３は、無線コントローラ２１によって通信制御される。なお、ペアリングとは、相手の通信用の識別情報を互いに保持することをいう。識別情報は、例えば、ＭＡＣアドレス（Ｍｅｄｉａ  Ａｃｃｅｓｓ  Ｃｏｎｔｒｏｌ  Ａｄｄｒｅｓｓ）であってもよいし、無線コントローラ２１および照明装置１３のそれぞれに割り当てられた通信アドレスであってもよい。
【００２０】
この照明システム１では、建物９０内の電波状況によって、照明装置１３が無線コントローラ２１によって通信制御されなくなる場合がある。その場合、無線コントローラ２１と異なる他の無線コントローラ２２と照明装置１３とをペアリングするか、または、無線コントローラ２１と照明装置１３とのペアリングの設定を変えずに維持するか、などの対処をとる必要がある。
【００２１】
それに対し本実施の形態の照明装置１３は、無線コントローラ２１または無線コントローラ２２から送信された信号に基づいて、ペアリング相手となる無線コントローラを決定する。この照明装置１３によれば、ペアリングする無線コントローラを適切に設定することができる。
【００２２】
以下、照明システム１が備える操作端末３０、無線コントローラ２１、２２、照明装置１３の構成について説明する。
【００２３】
図２は、照明システム１の構成を示すブロック図である。
【００２４】
操作端末３０は、無線コントローラ２１、２２および照明装置１３の通信設定を行うための設定器である。操作端末３０は、例えば、タブレット端末またはスマートフォンである。なお、操作端末３０は、据え置き型のコンピュータ端末であってもよい。
【００２５】
第１の無線コントローラ２１は、照明装置１１〜１３を点灯制御するコントローラである。無線コントローラ２１は、通信部２１ａと、通信部２１ａに接続される制御部２１ｃとを備える。
【００２６】
通信部２１ａは、無線通信ｒ３で操作端末３０と通信し、無線通信ｒ１で照明装置１１〜１３と通信する。通信部２１ａは、無線モジュールなどによって構成されている。
【００２７】
制御部２１ｃは、通信部２１ａの作動を制御する。また、制御部２１ｃは、通信部２１ａを介して第１信号ｓ１を照明装置１３に送信する。なお、第１信号ｓ１については後述する。
【００２８】
制御部２１ｃは、例えばプロセッサおよびメモリ２１ｇなどによって構成されている。メモリ２１ｇには、無線コントローラ２２自身の識別情報、および、照明装置１１〜１３の識別情報が保存されている。また、メモリ２１ｇには、照明装置１１〜１３を点灯制御するための点灯スケジュールが保存されている。
【００２９】
本実施の形態では、建物９０内の電波状況によって照明装置１３のペアリング相手となる無線コントローラが変更されるが、例えば、無線コントローラ２１と照明装置１３とのペアリングが解消される場合、照明装置１３の識別情報はメモリ２１ｇから消去される。それに対し、無線コントローラ２１と照明装置１３とのペアリングが維持される場合、照明装置１３の識別情報はメモリ２１ｇに保存されたままとなる。
【００３０】
第２の無線コントローラ２２は、照明装置１４を点灯制御するコントローラである。また、無線コントローラ２２は、照明装置１３のペアリング相手が無線コントローラ２１から無線コントローラ２２に変更された場合に、照明装置１３を点灯制御するコントローラでもある。無線コントローラ２２は、通信部２２ａと、通信部２２ａに接続される制御部２２ｃとを備える。
【００３１】
通信部２２ａは、無線通信ｒ３で操作端末３０と通信し、無線通信ｒ２で照明装置１４と通信する。また、通信部２２ａは、無線コントローラ２２と照明装置１３とがペアリングされる際に、無線通信ｒ２で照明装置１３と通信する。通信部２２ａは、無線モジュールなどによって構成されている。
【００３２】
制御部２２ｃは、通信部２２ａの作動を制御する。また、制御部２２ｃは、通信部２２ａを介して第２信号ｓ２を照明装置１３に送信する。なお、第２信号ｓ２については後述する。
【００３３】
制御部２２ｃは、例えばプロセッサおよびメモリ２２ｇなどによって構成されている。メモリ２２ｇには、無線コントローラ２２自身の識別情報、および、ペアリング相手である照明装置１４の識別情報が保存されている。また、制御部２２ｃは、照明装置１３のペアリング相手が無線コントローラ２１から無線コントローラ２２に変更される際に、照明装置１３とのペアリングを行う。そのペアリングの際、メモリ２２ｇには、照明装置１３の識別情報が保存される。
【００３４】
照明装置１３は、例えば、ＬＥＤ（Ｌｉｇｈｔ  Ｅｍｉｔｔｉｎｇ  Ｄｉｏｄｅ）ライトである。照明装置１３は、通信部１３ａと、点灯部１３ｂと、制御部１３ｃとを備える。通信部１３ａおよび点灯部１３ｂのそれぞれは、制御部１３ｃに接続されている。
【００３５】
通信部１３ａは、無線通信ｒ１で無線コントローラ２１と通信する。また、通信部１３ａは、照明装置１３のペアリング相手が無線コントローラ２１から無線コントローラ２２に変更される際に、無線通信ｒ２で無線コントローラ２２と通信する。通信部１３ａは、無線モジュールなどによって構成されている。
【００３６】
点灯部１３ｂは、例えば、白色光、赤色光、緑色光または青色光を発する複数の発光ダイオードなどの光源を含む回路である。
【００３７】
制御部１３ｃは、無線コントローラ２１の指示に基づいて通信部１３ａおよび点灯部１３ｂの作動を制御する。制御部１３ｃは、通信部１３ａを介して、第１信号ｓ１および第２信号を受信する。
【００３８】
第１信号ｓ１は、例えば、無線コントローラ２１から照明装置１３に送信されるポーリング信号、または、照明装置１３を点灯制御するための点灯制御信号である。ポーリング信号は、無線コントローラ２１が照明装置１３に対して存在確認を行うための信号であり、定期的に、例えば１０分の時間間隔で照明装置１３に送信される。点灯制御信号は、照明装置１３を点灯、消灯、調色および調光するための制御信号である。
【００３９】
第２信号ｓ２は、無線コントローラ２２から照明装置１３に送信されるペアリング要求信号である。第２信号ｓ２は、例えば、無線コントローラ２２から定期的にブロードキャストで送信される。
【００４０】
制御部１３ｃは、例えばプロセッサなどによって構成されている。制御部１３ｃは、判断部１３ｄ、受付部１３ｅ、決定部１３ｆおよびメモリ１３ｇを有している。
【００４１】
メモリ１３ｇには、照明装置１３自身の識別情報、および、無線コントローラ２１の識別情報が保存されている。また、メモリ１３ｇには、照明装置１３の点灯スケジュール、および、無線コントローラ２１から第１信号ｓ１が定期的に送信されるという情報が保存されている。また、メモリ１３ｇには、照明装置１３と無線コントローラ２１、２２とのペアリングを設定するまたは解消するためのプログラムが保存されている。
【００４２】
例えば、照明装置１３のペアリング相手が無線コントローラ２１から無線コントローラ２２に変更された場合に、メモリ１３ｇには無線コントローラ２２の識別情報が保存され、無線コントローラ２１の識別情報は消去される。それに対し、照明装置１３と無線コントローラ２１とのペアリングが維持される場合、無線コントローラ２１の識別情報はメモリ１３ｇに保存されたままとなる。
【００４３】
判断部１３ｄは、無線コントローラ２１から送信される第１信号ｓ１の受信の有無を判断する。第１信号ｓ１は、無線コントローラ２１から複数回送信されるが、判断部１３ｄは、第１信号ｓ１の受信が所定期間に複数回連続して無い場合に、第１信号ｓ１の受信が無いと判断する。この所定期間は、例えば、定期的に送信されるポーリング信号の時間間隔によって決められ、ポーリング信号の時間間隔の２倍以上５倍以下の範囲から適宜設定される。また、複数回の回数は、２以上５以下の範囲から適宜選択される。なお、判断部１３ｄは、第１信号ｓ１の受信が１回でも無い場合に、第１信号ｓ１の受信が無いと判断してもよい。
【００４４】
受付部１３ｅは、判断部１３ｄにて第１信号ｓ１の受信が無いと判断された後に、第１信号ｓ１または第２信号ｓ２を受け付け可能な状態となる。受付部１３ｅには、第１信号ｓ１または第２信号ｓ２を受け付ける受付期間Ｔ１（図３Ａ参照）が設定されている。この受付期間Ｔ１は、第１信号ｓ１が送信される時間間隔によって決まり、例えば５分以上２０分以下の範囲から適宜選択される。受付部１３ｅは、第１信号ｓ１および第２信号ｓ２のうち一方の信号を受け付けた場合に、他方の信号を受け付け不可とする。
【００４５】
なお、受付部１３ｅは、判断部１３ｄにて第１信号ｓ１の受信が有ると判断された後は、判断部１３ｄにて再び第１信号ｓ１の受信が無いと判断されるまで、第２信号ｓ２を受け付けない状態となる。
【００４６】
決定部１３ｆは、受付部１３ｅにて受け付けた第１信号ｓ１または第２信号ｓ２に基づいて、無線コントローラ２１、２２の中からペアリング相手となる無線コントローラを決定する。例えば、決定部１３ｆは、受付期間Ｔ１に第２信号ｓ２を受け付けた場合に、無線コントローラ２２をペアリング相手として決定する。その決定の際、決定部１３ｆは、無線コントローラ２１と照明装置１３とのペアリングを解消する。また、決定部１３ｆは、受付部１３ｅが、受付期間Ｔ１に第１信号ｓ１を受け付けた場合に、無線コントローラ２１をペアリング相手として維持する。
【００４７】
本実施の形態の照明装置１３は、無線コントローラ２１とペアリングされた後に、無線コントローラ２１から送信される第１信号ｓ１の受信の有無を判断する判断部１３ｄと、判断部１３ｄにて第１信号ｓ１の受信が無いと判断された後に、第１信号ｓ１または無線コントローラ２２から送信される第２信号ｓ２を受け付ける受付部１３ｅと、受付部１３ｅにて受け付けた第１信号ｓ１または第２信号ｓ２に基づいて、無線コントローラ２１および無線コントローラ２２の中からペアリング相手となる無線コントローラを決定する決定部１３ｆとを備える。
【００４８】
このように、照明装置１３が、無線コントローラ２１から送信された第１信号ｓ１または無線コントローラ２２から送信された第２信号ｓ２に基づいて、ペアリング相手となる無線コントローラを決定することで、ペアリングする無線コントローラを適切に設定することができる。
【００４９】
［２．照明装置のペアリング設定方法］
次に、照明装置１３のペアリング設定方法について説明する。まず、図３Ａを参照しながら、照明装置１３のペアリング相手を無線コントローラ２１から無線コントローラ２２に変更する例について説明する。
【００５０】
図３Ａは、照明装置１３のペアリング設定方法を示すシーケンス図である。
【００５１】
はじめに、照明装置１３と無線コントローラ２１とがペアリングされた状態にある。この状態において、無線コントローラ２１は、ポーリング信号である第１信号ｓ１を照明装置１３に送信する。照明装置１３は、第１信号ｓ１の受信が有りと判断し（ステップＳ１０）、第１信号ｓ１を受け付けたことを示す応答信号を無線コントローラ２１に返信する。この段階では照明装置１３と無線コントローラ２１との通信に異常はなく、照明装置１３および無線コントローラ２１は、互いのペアリング状態を維持する。
【００５２】
ここで、建物９０内における一部の電波状況が不安定になり、第１信号ｓ１が照明装置１３に届かなくなったとする。その場合、照明装置１３の判断部１３ｄは、第１信号ｓ１の受信が無いと判断する（ステップＳ２０）。具体的には、第１信号ｓ１が複数回連続して受信されていない場合に、第１信号ｓ１の受信が無いと判断される。
【００５３】
受付部１３ｅは、ステップＳ２０にて第１信号ｓ１の受信が無いと判断された後に、第１信号ｓ１または第２信号ｓ２を受け付け可能な状態とする（ステップＳ３０）。そして受付部１３ｅは、第１信号ｓ１または第２信号ｓ２を受け付け可能な受付期間Ｔ１において、第１信号ｓ１および第２信号ｓ２のうち早く受信した信号を受け付ける。なお、この段階では、無線コントローラ２１と照明装置１３とのペアリングは、まだ解消されていない。
【００５４】
図３Ａには、照明装置１３が、無線コントローラ２２から送信された第２信号ｓ２を受信した例が示されている。ここで照明装置１３の決定部１３ｆは、第２信号ｓ２を送信した無線コントローラ２２をペアリング相手として決定し、第２信号ｓ２を受信したことを示す返信信号を無線コントローラ２２に送信する。これにより、照明装置１３と無線コントローラ２２とのペアリング設定が開始される。
【００５５】
このペアリング設定において、照明装置１３は、自身の識別情報を無線コントローラ２２に送信し、無線コントローラ２２は、自身の識別情報を照明装置１３に送信する。これにより、照明装置１３および無線コントローラ２２にて新たなペアリングが成立する。なお、照明装置１３のメモリ１３ｇに保存されていた無線コントローラ２１の識別情報は消去され、照明装置１３と無線コントローラ２１とのペアリングは解消される。ただし、無線通信ｒ１の電波が不安定である場合は、照明装置１３の識別情報は消去されずメモリ１３ｇに残っていてもよい。
【００５６】
照明装置１３は、無線コントローラ２２とのペアリング設定がなされた後、第１信号ｓ１の受付を不可とする（ステップＳ４１）。具体的には、照明装置１３は、無線コントローラ２１から第１信号ｓ１が送付されても、第１信号ｓ１を受け付ないまたは無視する。これにより、無線コントローラ２１に代わって無線コントローラ２２が、照明装置１３とペアリングする無線コントローラとして設定される。
【００５７】
次に、図３Ｂを参照しながら、照明装置１３のペアリング相手を無線コントローラ２１のまま維持する例について説明する。
【００５８】
図３Ｂは、照明装置１３のペアリング設定方法の他の例を示すシーケンス図である。なお、ステップＳ１０〜Ｓ３０は、図３Ａと同じであるので説明を省略する。
【００５９】
図３Ｂには、照明装置１３が、受付期間Ｔ１の途中に無線コントローラ２１から送信された第１信号ｓ１を受信した例が示されている。ここで照明装置１３は、第１信号ｓ１を受信したことを示す返信信号を無線コントローラ２１に送信する。これにより、照明装置１３と無線コントローラ２１とのペアリングが維持される。
【００６０】
照明装置１３は、無線コントローラ２１とのペアリングが維持された後、第２信号ｓ２の受付を不可とする（ステップＳ４２）。具体的には、照明装置１３は、無線コントローラ２２から第２信号ｓ２が送付されても、第２信号ｓ２を受け付ないまたは無視する。これにより、他の無線コントローラ２２でなく無線コントローラ２１が、照明装置１３とペアリングする無線コントローラとして維持される。
【００６１】
［３．効果等］
本実施の形態に係る照明装置１３は、第１の無線コントローラ２１または第２の無線コントローラ２２と無線通信する照明装置１３であって、第１の無線コントローラ２１とペアリングされた後に、第１の無線コントローラ２１から送信される第１信号ｓ１の受信の有無を判断する判断部１３ｄと、判断部１３ｄにて第１信号ｓ１の受信が無いと判断された後に、第１信号ｓ１または第２の無線コントローラ２２から送信される第２信号ｓ２を受け付ける受付部１３ｅと、受付部１３ｅにて受け付けた第１信号ｓ１または第２信号ｓ２に基づいて、第１の無線コントローラ２１および第２の無線コントローラ２２の中からペアリング相手となる無線コントローラを決定する決定部１３ｆとを備える。
【００６２】
これによれば、照明装置１３は、第１の無線コントローラ２１との電波状況が安定しているか否かを確かめ、電波状況が安定していないと判断した後に、上記第１信号ｓ１または上記第２信号ｓ２に基づいて、ペアリング相手となる無線コントローラを決定することができる。これにより照明装置１３は、ペアリングする無線コントローラを適切に設定することができる。
【００６３】
また、第１信号ｓ１は、第１の無線コントローラ２１が照明装置１３に対して存在確認を行うためのポーリング信号、または、照明装置１３を点灯制御する点灯制御信号であってもよい。
【００６４】
これによれば、照明装置１３は、第１信号ｓ１の受信の有無を適切に判断することができ、第１の無線コントローラ２１との電波状況が安定しているか否かを適切に確かめることができる。これにより照明装置１３は、ペアリングする無線コントローラを適切に設定することができる。
【００６５】
また、判断部１３ｄは、第１信号ｓ１の受信が複数回連続して無い場合に、第１信号ｓ１の受信が無いと判断してもよい。
【００６６】
これによれば、照明装置１３は、第１信号ｓ１の受信の有無を確度よく判断することができ、第１の無線コントローラ２１との電波状況が安定しているか否かを確度よく確かめることができる。これにより照明装置１３は、ペアリングする無線コントローラを適切に設定することができる。
【００６７】
また、受付部１３ｅは、第１信号ｓ１または第２信号ｓ２を受け付ける受付期間Ｔ１の途中に第１信号ｓ１を受け付けた場合、第１信号ｓ１を受け付けた後に第２信号ｓ２を受け付け不可としてもよい。
【００６８】
これによれば、照明装置１３は、第１の無線コントローラ２１をペアリング相手として維持することを、短時間で決めることができる。これにより照明装置１３は、ペアリングする無線コントローラを適切に設定することができる。
【００６９】
本実施の形態に係る照明システム１は、第１の無線コントローラ２１、第２の無線コントローラ２２、および、第１の無線コントローラ２１または第２の無線コントローラ２２と無線通信する照明装置１３を備える。第１の無線コントローラ２１は、照明装置１３に第１信号ｓ１を送信する通信部２１ａを備え、第２の無線コントローラ２２は、照明装置１３に第２信号ｓ２を送信する通信部２２ａを備える。照明装置１３は、第１の無線コントローラ２１とペアリングされた後に、第１信号ｓ１の受信の有無を判断する判断部１３ｄと、判断部１３ｄにて第１信号ｓ１の受信が無いと判断された後に、第１信号ｓ１または第２信号ｓ２を受け付ける受付部１３ｅと、受付部１３ｅにて受け付けた第１信号ｓ１または第２信号ｓ２に基づいて、第１の無線コントローラ２１および第２の無線コントローラ２２の中からペアリング相手となる無線コントローラを決定する決定部１３ｆとを備える。
【００７０】
これによれば、照明システム１は、照明装置１３と第１の無線コントローラ２１との電波状況が安定しているか否かを確かめ、電波状況が安定していないと判断した後に、上記第１信号ｓ１または上記第２信号ｓ２に基づいて、ペアリング相手となる無線コントローラを決定することができる。これにより、照明システム１は、照明装置１３とペアリングする無線コントローラを適切に設定することができる。
【００７１】
本実施の形態に係る照明装置１３のペアリング設定方法は、第１の無線コントローラ２１または第２の無線コントローラ２２と無線通信する照明装置１３のペアリング設定方法であって、第１の無線コントローラ２１とペアリングされた後、第１の無線コントローラ２１から送信される第１信号の受信の有無を判断する判断ステップと、判断ステップにて第１信号ｓ１の受信が無いと判断された後に、第１信号ｓ１または第２の無線コントローラ２２から送信される第２信号ｓ２を受け付ける受付ステップと、受付ステップにて受け付けた第１信号ｓ１または第２信号ｓ２に基づいて、第１の無線コントローラ２１および第２の無線コントローラ２２の中からペアリング相手となる無線コントローラを決定する決定ステップとを含む。
【００７２】
これによれば、照明装置１３は、第１の無線コントローラ２１との電波状況が安定しているか否かを確かめ、電波状況が安定していないと判断した後に、上記第１信号ｓ１または上記第２信号ｓ２に基づいて、ペアリング相手となる無線コントローラを決定することができる。これにより照明装置１３は、ペアリングする無線コントローラを適切に設定することができる。
【００７３】
本実施の形態のプログラムは、上記照明装置１３のペアリング設定方法をコンピュータに実行させるためのプログラムである。
【００７４】
このプログラムを用いることで、照明装置１３とペアリングする無線コントローラを適切に設定することができる。
【００７５】
［４．実施の形態の変形例１］
次に、実施の形態の変形例１に係る照明装置１３のペアリング設定方法について説明する。変形例１では、上述したステップＳ２０において、第１信号ｓ１の受信が規定期間Ｔｒに全く無い場合に、第１信号ｓ１の受信が無いと判断する例について説明する。
【００７６】
図４は、変形例１に係る照明装置１３のペアリング設定方法を示すシーケンス図である。なお、ステップＳ１０、Ｓ３０およびＳ４１は、図３Ａと同じなので説明を省略する。
【００７７】
ここでは図４に示すステップＳ１０の後、建物９０内の一部の電波状況が不安定になり、第１信号ｓ１が照明装置１３に届かなくなったとする。その場合、照明装置１３の判断部１３ｄは、第１信号ｓ１の受信が無いと判断する（ステップＳ２０）。具体的には、判断部１３ｄは、第１信号ｓ１の受信が規定期間Ｔｒに全く無い場合に、第１信号ｓ１の受信が無いと判断する。第１信号ｓ１は、例えば、照明装置１３を点灯制御するための点灯制御信号である。規定期間Ｔｒは、例えば、点灯から消灯までの時間によって決まる期間であり、ステップＳ１０にて第１信号ｓ１の受信が有りと最後に判断された時を基準として、４時間以上２４時間以下の範囲から適宜選択される。
【００７８】
このように変形例１では、第１信号ｓ１の受信が規定期間Ｔｒに全く無い場合に、判断部１３ｄが、第１信号ｓ１の受信が無いと判断する。
【００７９】
これによれば、照明装置１３は、第１信号ｓ１の受信の有無を確度よく判断することができ、第１の無線コントローラ２１との電波状況が安定しているか否かを確度よく確かめることができる。これにより照明装置１３は、ペアリングする無線コントローラを適切に設定することができる。
【００８０】
［５．実施の形態の変形例２］
次に、実施の形態の変形例２に係る照明装置１３のペアリング設定方法について説明する。変形例２では、上述したステップＳ２０において、点灯スケジュールのとおりに第１信号ｓ１を受信しなかった場合に、第１信号ｓ１の受信が無いと判断する例について説明する。
【００８１】
図５は、変形例２に係る照明装置１３のペアリング設定方法を示すシーケンス図である。なお、ステップＳ３０およびＳ４１は、図３Ａと同じなので説明を省略する。
【００８２】
はじめに、照明装置１３と無線コントローラ２１とがペアリングされ、かつ、照明装置１３および無線コントローラ２１のそれぞれに、照明装置１３の点灯スケジュールが共有保存されている状態にある。
【００８３】
ここで、建物９０内の一部の電波状況が不安定になり、第１信号ｓ１が照明装置１３に届かなくなったとする。その場合、照明装置１３の判断部１３ｄは、第１信号ｓ１の受信が無いと判断する（ステップＳ２０）。具体的には、判断部１３ｄは、照明装置１３の点灯スケジュールのとおりに第１信号ｓ１を受信しなかった場合に、第１信号ｓ１の受信がないと判断する。例えば、１３時に届くはずの第１信号ｓ１が１３時に届かなかった場合に、第１信号ｓ１の受信が無いと判断される。
【００８４】
このように変形例２では、照明装置１３を点灯制御する点灯スケジュールのとおりに第１信号ｓ１を受信しなかった場合に、判断部１３ｄが、第１信号ｓ１の受信が無いと判断する。
【００８５】
これによれば、照明装置１３は、第１信号ｓ１の受信の有無を確度よく判断することができ、第１の無線コントローラ２１との電波状況が安定しているか否かを確度よく確かめることができる。これにより照明装置１３は、ペアリングする無線コントローラを適切に設定することができる。
【００８６】
［６．実施の形態の変形例３］
次に、実施の形態の変形例３に係る照明装置１３のペアリング設定方法について説明する。変形例３では、ステップＳ３０に示す受付期間Ｔ１の終了後に第２信号ｓ２を受け付け不可とする例について説明する。
【００８７】
図６は、変形例３に係る照明装置１３のペアリング設定方法を示すシーケンス図である。なお、ステップＳ１０、Ｓ２０は、図３Ｂと同じなので説明を省略する。
【００８８】
受付部１３ｅは、ステップｓ２０にて第１信号ｓ１の受信が無いと判断された後に、第１信号ｓ１または第２信号ｓ２を受け付け可能な状態とする（ステップＳ３０）。
【００８９】
図６には、受付期間Ｔ１に第１信号ｓ１も第２信号ｓ２も受信しなかった例が示されている。ここで照明装置１３は、受付期間Ｔ１の終了後に、無線コントローラ２２から送信される第２信号ｓ２を受け付け不可とする（ステップＳ４２）。具体的には、照明装置１３は、無線コントローラ２２から第２信号ｓ２が送付されても、第２信号ｓ２を受け付ないまたは無視する。
【００９０】
このように変形例３では、第１信号ｓ１または第２信号ｓ２を受け付ける受付期間Ｔ１に第２信号ｓ２を受け付けなかった場合に、受付部１３ｅは、受付期間Ｔ１の終了後に第２信号ｓ２を受け付け不可とする。
【００９１】
これによれば、電波の安定性に欠ける無線コントローラ２２と照明装置１３とをペアリングしないようにすることができる。
【００９２】
［７．実施の形態の変形例４］
次に、実施の形態の変形例４に係る照明装置１３のペアリング設定方法について説明する。変形例４では、ステップＳ３０に示す受付期間Ｔ１の終了後にペアリングを解消する例について説明する。
【００９３】
図７は、変形例４に係る照明装置１３のペアリング設定方法を示すシーケンス図である。なお、ステップＳ１０、Ｓ２０は、図３Ｂと同じなので説明を省略する。
【００９４】
受付部１３ｅは、ステップＳ２０にて第１信号ｓ１の受信が無いと判断された後に、照明装置１３を第１信号ｓ１または第２信号ｓ２を受け付け可能な状態とする（ステップＳ３０）。
【００９５】
図７には、受付期間Ｔ１に第１信号ｓ１も第２信号ｓ２も受信しなかった例が示されている。ここで照明装置１３は、受付期間Ｔ１の終了後に、無線コントローラ２１とのペアリングを解消する（ステップＳ４３）。具体的には、照明装置１３は、無線コントローラ２１の識別情報を消去し、無線コントローラ２１とのペアリングを解消する。
【００９６】
このように変形例４では、受付部１３ｅが第１信号ｓ１または第２信号ｓ２を受け付ける受付期間Ｔ１に、第１信号ｓ１および第２信号ｓ２を受け付けなかった場合に、決定部１３ｆは、第１の無線コントローラ２１とのペアリングを解消する。
【００９７】
これによれば、電波の安定性に欠ける無線コントローラ２１と照明装置１３とをペアリングしないようにすることができる。
【００９８】
（その他の形態）
以上、照明装置等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００９９】
例えば、無線コントローラ２１、２２は、建物の天井に設置されていてもよいし、床に設置されていてもよい。また、照明システムは、無線コントローラおよび照明装置を統括する上位コントローラをさらに備えていてもよい。
【０１００】
また、上記実施の形態のシーケンス図で説明された処理の順序は、一例である。複数の処理の順序は変更されてもよいし、複数の処理は並行して実行されてもよい。
【０１０１】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１０２】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１０３】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。
【０１０４】
例えば、本発明は、上記実施の形態の情報端末が行う処理をコンピュータに実行させるためのプログラムとして実現されてもよい。このようなプログラムには、スマートフォンまたはタブレット端末などの携帯端末にインストールされるアプリケーションプログラムが含まれる。また、本発明は、このようなプログラムが記録されたコンピュータ読み取り可能な非一時的な記録媒体として実現されてもよい。
【符号の説明】
【０１０５】
１      照明システム
１１、１２、１３、１４  照明装置
１３ｄ  判断部
１３ｅ  受付部
１３ｆ  決定部
２１    第１の無線コントローラ
２２    第２の無線コントローラ
２１ａ、２２ａ  通信部
ｒ１、ｒ２、ｒ３  無線通信
ｓ１    第１信号
ｓ２    第２信号
Ｔ１    受付期間
Ｔｒ    規定期間
【図１】
2020135943.tif 000003
【図２】
2020135943.tif 000004
【図３Ａ】
2020135943.tif 000005
【図３Ｂ】
2020135943.tif 000006
【図４】
2020135943.tif 000007
【図５】
2020135943.tif 000008
【図６】
2020135943.tif 000009
【図７】
2020135943.tif 000010